(57)【要約】【課題】  横樋の内部の一端側と他端側との間の中間部に設けられた球崩し部材に、横樋の一端側から縦方向に上下に重なって流下してくる球のうち上段の球を一端側に押し戻す力を付与し、球噛みを解消可能な遊技機用球樋装置を提供する。【解決手段】  遊技機枠の裏面に取り付けられて球を一端側から他端側に向けて流下させる横樋２と、横樋の内部の一端側と他端側との間の中間部に設けられた球崩し部材３とを備え、球崩し部材と横樋の底部との間に２個の球の直径より小さく１個の球の直径より大きい隙間を形成し、球崩し部材が弾性を有する棒状の支持体７に結合され、支持体の球崩し部材よりも外側に突出した部分が横樋に結合され、球崩し部材が横樋に一端側から他端側に向けて底部より上下に重なった上段の球で支持体を中心として球の流下方向に移動するのに伴い、支持体が支持体の中心を中心とする捩れを発生するトーションバーとして形成された。【選択図】        図１
2005168597.tif 000002
【特許請求の範囲】
【請求項１】
遊技機枠の裏面に取り付けられて球を一端側から他端側に向けて流下させる横樋と、横樋の内部の一端側と他端側との間の中間部に設けられた球崩し部材とを備え、球崩し部材と横樋の底部との間に２個の球の直径より小さく１個の球の直径より大きい隙間を形成し、球崩し部材が弾性を有する棒状の支持体に結合され、支持体の球崩し部材よりも外側に突出した部分が横樋に結合され、球崩し部材が横樋に一端側から他端側に向けて底部より上下に重なった上段の球で支持体を中心として球の流下方向に移動するのに伴い、支持体が支持体の中心を中心とする捩れを発生するトーションバーとして形成されたことを特徴とする遊技機用球樋装置。
【請求項２】
遊技機枠の裏面に取り付けられて球を一端側から他端側に向けて流下させる横樋と、横樋の内部の一端側と他端側との間の中間部に設けられた球崩し部材とを備え、球崩し部材と横樋の底部との間に２個の球の直径より小さく１個の球の直径より大きい隙間を形成し、球崩し部材が弾性を有する棒状の支持体に結合され、支持体の球崩し部材よりも外側に突出した部分が横樋に結合され、球崩し部材が横樋に一端側から他端側に向けて底部より上下に重なった上段の球で支持体を中心として球の流下方向に移動するのに伴い、支持体が支持体の横樋との結合部を中心として球の流れる方向への撓みを発生する片持ちばねとして形成されたことを特徴とする遊技機用球樋装置。
【請求項３】
球崩し部材を取り付けるために横樋に設けられた取付孔が上方に開放された溝により形成され、支持体が溝に圧縮されて嵌め込まれたことを特徴とする請求項１又は請求項２に記載の遊技機用球樋装置。
【請求項４】
球崩し部材と支持体とが互いに別々に形成され、球崩し部材には取付孔が形成され、支持体が取付孔に圧縮されて嵌め込まれたことを特徴とする請求項１に記載の遊技機用球樋装置。
【請求項５】
球崩し部材と支持体とが互いに別々に形成され、球崩し部材には取付孔が支持体よりも大きな孔として形成され、支持体が取付孔に嵌め込まれたことを特徴とする請求項１に記載の遊技機用球樋装置。
【発明の詳細な説明】
【技術分野】
【０００１】
本発明は、横樋の内部の一端側と他端側との間の中間部に設けられた球崩し部材に、横樋の一端側から縦方向に上下に重なって流下してくる球のうち上段の球を一端側に押し戻す力を付与し、球噛みを解消可能な遊技機用球樋装置に関する。
【背景技術】
【０００２】
横樋の球の流れる上流である一端と球の流れる下流である他端との間の中間部に、錘を備えた球崩し部材（球ならし部材）を球の流れる方向に軸で回転可能に取り付けたものが知られている（特許文献１）。
【特許文献１】特開平８−７１２１０号公報
【発明の開示】
【発明が解決しようとする課題】
【０００３】
特許文献１の横樋内の球通路において、２つの球が互いに接触したまま、その互いに接触した２つの球がその球の外径である２直径を有する通路形成部分に接触し、後から続く多数の球で他端側に押されることで、その互いに接触した２つの球が当該直径を有する通路形成部分に詰まることがある。つまり、いわゆる球噛みを生じる。球噛みは、図７に示すように、２つの球の中心Ｃを通る一直線Ｌ上に２つの球３１の接触点Ｓが位置した状態において、上記一直線Ｌ上で２つの球３１に当該２つの球３１を互いに押し付ける力Ｆが加わった場合に生じる。この球噛みを生じた場合、当該２つの球３１は後から続く多数の球３１で球通路の他端側に押され続けることで球詰まりしたままとなり、後続の球３１を他端側に供給できなくなる。特許文献１の球崩し部材は、球通路の一端側から他端側に上下に重なって流下してくる球のうち上段の球に衝突してこの上段の球の流れに対する障害となり、球通路の他端方向に球を縦方向に１段に整列させて流下させるものである。しかし、当該球崩し部材は、横樋の球の流れる方向に軸で回転可能に取り付けられており、球崩し部材に衝突した上段の球を横樋の一端側に押し戻す力を発生するものではないため、球通路内で球噛みを生じている場合に、球噛みを崩すことができない。
【課題を解決するための手段】
【０００４】
本発明の遊技機用球樋装置は、遊技機枠の裏面に取り付けられて球を一端側から他端側に向けて流下させる横樋と、横樋の内部の一端側と他端側との間の中間部に設けられた球崩し部材とを備え、球崩し部材と横樋の底部との間に２個の球の直径より小さく１個の球の直径より大きい隙間を形成し、球崩し部材が弾性を有する棒状の支持体に結合され、支持体の球崩し部材よりも外側に突出した部分が横樋に結合され、球崩し部材が横樋に一端側から他端側に向けて底部より上下に重なった上段の球で支持体を中心として球の流下方向に移動するのに伴い、支持体が支持体の中心を中心とする捩れを発生するトーションバーとして形成されたものとしたことを特徴とする。支持体が支持体の横樋との結合部を中心として球の流れる方向への撓みを発生する片持ちばねとして形成されたことも特徴とする。球崩し部材を取り付けるために横樋に設けられた取付孔が上方に開放された溝により形成され、支持体が溝に圧縮されて嵌め込まれたことや、球崩し部材と支持体とが互いに別々に形成され、球崩し部材には取付孔が形成され、支持体が取付孔に圧縮されて嵌め込まれたことや、球崩し部材と支持体とが互いに別々に形成され、球崩し部材には取付孔が支持体よりも大きな孔として形成され、支持体が取付孔に嵌め込まれたことも特徴とする。
【発明の効果】
【０００５】
本発明の遊技機用球樋装置によれば、横樋の一端側から他端側に向けて上下に重なって流下してくる球のうち上段の球が球崩し部材に衝突すると、支持体が球崩し部材に球を横樋の一端側に押し戻す力を付与し、球噛みを崩すことができる。また、横樋に形成された取付孔としての上方に開放された溝に支持体を圧縮して嵌め込むことで、支持体を横樋に固定的に取り付けることができ、支持体を捩れを発生するトーションバーあるいは撓みを発生する片持ちばねとして確実に機能させることができる。また、支持体を取付孔に圧縮されて嵌め込んだり、支持体を支持体よりも大きな孔としての取付孔に嵌め込む構成としたので、球崩し部材の交換を容易に行える。
【発明を実施するための最良の形態】
【０００６】
図１−図４は、一実施形態である。図１のａ図は、遊技機用球樋装置１を分解して示す。図１のｂ図は、横樋２の下流側端部の平面を示す。図１のｃ図は、遊技機用球樋装置１の組み立てられた外観を示す。図２は、球崩し部材３を示す。図３は、遊技機用球樋装置１の作用を示す。図４は、パチンコ機の裏面を示す。
【０００７】
図１を参照し、遊技機用球樋装置１の構造について説明する。図１のａ図に示すように、遊技機用球樋装置１は、横樋２の内部に、球崩し部材３を備える。横樋２は、球を図４に示すタンク３３から払出機構に誘導しつつ一列に整列して供給するものであって、材料を限定するものではないが、光透過性のある合成樹脂により、一端から他端に向けて球を自然流下する、上方に開放された横長な箱形に形成された形態である。横樋２の内部には、２つの球通路４が、横樋２の底部５から上方に突出する仕切壁６によって形成される。仕切壁６は、図１に矢印Ｘ１で示す球の流れる方向と直交する横方向の中央において、横樋２の一端から他端にわたり直線的に存在する。
【０００８】
球崩し部材３は、横樋２の内部に、支持体７で取り付けられる。具体的には、横樋２の仕切壁６と相対峙する側壁８とには、球崩し部材３の支持体７を装着するための取付孔９；１０が形成される。取付孔９；１０は、仕切壁６の上面および両側面や側壁８の上面および内外面に開口された溝形状である。支持体７は、ゴムまたは合成樹脂などのような弾性を有する材料により、中央に位置する角形状の位置決めブロック１１と、位置決めブロック１１から両側に突出した棒形状の取付部１２とを有し、一方の側壁８の外側面と他方の側壁８の外側面とによる横方向の間隔よりも長い、１本の直線的な棒形状に形成される。位置決めブロック１１の外形は、仕切壁６の球の流れる方向と直交する方向の厚さと、仕切壁６に形成された取付孔９の球の流れる方向の幅とよりも大きい。取付部１２の球の流れる方向の太さは、側壁８に形成された取付孔１０の球の流れる方向の幅と、球崩し部材３に形成された取付孔１３の直径とよりも大きい。
【０００９】
球崩し部材３は、２つの球通路４における同じ幅である横幅よりも厚さが薄い板状の略三角形であって、頂点部分に取付孔１３を備え、１つの底角部に嵌合部１４を備える。取付孔１３および嵌合部１４は、球崩し部材３の厚さ方向に貫通する。球崩し部材３は、頂点部分と嵌合部１４の設けられていないもう１つの底角部とを結ぶ平坦な傾斜面１５を備える。球崩し部材３の１つの底角部は、嵌合部１４の中心を中心とする弧状の外周面１６を有する。外周面１６は、外周面１６の一方から接線状に延びる底面１７で傾斜面１５と連接される一方、外周面１６の他方から接線状に延びる斜面１８で頂点部分の外周面１９と連接される。弧状の外周面１６と底面１７および斜面１８は、球崩し部材３が横樋２に取り付けられた場合、球崩し面として機能する。嵌合部１４は、遊技機用球樋装置１の取り付けられるパチンコ機で使用される１個のパチンコ球の直径と略同一である。具体的には、上記球が人の力で球崩し部材３の一方の板面から嵌合部１４の内部に押し込まれることによって嵌合部１４の内部に装着されるように、嵌合部１４の直径は、１個の球と略同一である。
【００１０】
図１のｂ図に示すように、横樋２の他端部における底部５には、上下方向に貫通する球出口２１が、２つの球通路４ごとに設けられる。球出口２１の周りにおける２つの球通路４の内部には、整流部２２を備える。２つの球出口２１は、横樋２の底部５から上方に突出する弧状壁２３と仕切壁６とに連接された隔壁２４で、互いに隔てられる。
【００１１】
球崩し部材３と支持体７とは互いに別々に形成され、２つの球崩し部材３が支持体７に取り付けられる。具体的には、支持体７の一方の取付部１２が１つの球崩し部材３の取付孔１３に押し込まれる。支持体７の他方の取付部１２がもう１つの球崩し部材３の取付孔１３に押し込まれる。このように取付部１２が押し込まれることによって、取付部１２が弾性的に径方向で圧縮されて取付孔１３に嵌め込まれるので、取付部１２の取付孔１３に嵌め込まれた部分が自身の復元しようとする弾性で取付孔１３の内壁面を径方向外側に押すように突っ張る。これによって、２つの球崩し部材３が位置決めブロック１１の両側で取付部１２に固定的に取り付けられる。このような圧入による取付形態ならば、球崩し部材３の交換を容易に行える。これに対し、取付部１２と取付孔１３との嵌合面間に接着剤を入れて、当該接着剤で取付部１２と球崩し部材３とを固定的に取り付ければ、支持体７と２つの球崩し部材３との固定的な取付形態が強固となる。
【００１２】
次に、前記２つの球崩し部材３の取り付けられた支持体７が横樋２に取り付けられる。具体的には、２つの球崩し部材３が２つの球通路４に個別に上方から挿入され、支持体７の位置決めブロック１１が取付孔９に上方から嵌め込まれ、２つの球崩し部材３のそれぞれから外側に突出した取付部１２の端部が取付孔１０に上方から嵌め込まれる。位置決めブロック１１と取付部１２の端部とが嵌め込まれる場合、位置決めブロック１１および取付部１２の端部が弾性的に圧縮されて取付孔９；１０に嵌め込まれるので、位置決めブロック１１および取付部１２の端部の取付孔９；１０に嵌め込まれた部分が自身の復元しようとする弾性で取付孔９；１０の内壁面を径方向外側に押すように突っ張る。これによって、図１のｃ図に示すように、２つの球崩し部材３が２つの球通路４の内部に個別に配置され、当該２つの球崩し部材３を固定的に備えた支持体７が横樋２に固定的に取り付けられる。
【００１３】
図２を参照し、支持体７が横樋２に取り付けられた構造について説明する。支持体７の位置決めブロック１１が横樋２の取付孔９に圧縮された形態で押し込まれることによって、横樋２の仕切壁６より外側に突出して取付孔９より幅広に膨出した膨出部２５が取付孔９の周りの仕切壁６を球の流れる方向と直交する横方向両側から挟む格好で支持する。支持体７の取付部１２が球崩し部材３の取付孔１３に圧縮された形態で押し込まれることによって、球崩し部材３より外側に突出して取付孔１３より幅広に膨出した膨出部２６が取付孔１３の周りの球崩し部材３を球の流れる方向と直交する横方向両側から挟む格好で支持する。支持体７の取付部１２の端部が横樋２の取付孔１０に圧縮された形態で押し込まれることによって、横樋２の側壁８より外側に突出して取付孔１０より幅広に膨出した膨出部２７が取付孔１０の周りの側壁８を球の流れる方向と直交する横方向両側から挟む格好で支持する。結果として、支持体７が横樋２にがたつくことなくしっかりと固定され、球崩し部材３が支持体７にがたつくことなくしっかりと固定される。尚、球崩し部材３の両側より突出する支持体が取付孔９；１０で固定されるので、支持体７は両持ち梁となる。
【００１４】
図３を参照し、遊技機用球樋装置１の作用について説明する。球崩し部材３が支持体７で横樋２に取り付けられた場合、前述した位置決めブロック１１と取付孔９との嵌め合い、取付部１２と取付孔１３との嵌め合い、取付部１２の端部と取付孔１０との嵌め合いなどによって、支持体７の真下に嵌合部１４が位置する形態となる。支持体７の中心と嵌合部１４の中心とを結ぶ１本の直線は垂線となる。このように球崩し部材３が横樋２に取り付けられた場合、球崩し部材３は横樋２の底部５から離れている。この球崩し部材３と横樋２の底部５との間に形成された隙間は、横樋２の底部５に接触した１個の球３１の直径よりも大きいが、２個の球３１が縦方向に上下２段で直列に重なった場合の当該２個の球３１の直径よりも小さい寸法に設定される。そして、横樋２の上方に配置されたタンク３３の底部に形成された球供給口３４から球３１が球崩し部材３よりも上流側における横樋２の２つの球通路４に供給され、当該供給されて上下２段となった球３１のうちの上段の球３１が球崩し部材３に衝突すると、球崩し部材３が衝突した球３１で矢印Ｘ２方向に押し動かされる。このように球崩し部材３が矢印Ｘ２方向に移動すると、取付部１２における球崩し部材３の結合された部分が上記矢印Ｘ２方向に移動する球崩し部材３で取付部１２の中心を中心として周方向に回転するのに対し、位置決めブロック１１における仕切壁６と結合された部分および取付部１２の端部における側壁８と結合された部分の双方が移動しないで固定されたままであるので、両持ち梁となる支持体７が全体的に支持体７の中心を中心として周方向に捻じられた形態となり、つまり、支持体７がトーションバーとして機能する。この結果、支持体７に発生した捩れエネルギーが大きくなり、この大きくなった捩れエネルギーが球崩し部材３に衝突した球の運動エネルギーよりも大きくなると、球崩し部材３が支持体７の捩れエネルギーの反力で矢印Ｘ３の方向に戻る。この矢印Ｘ３の方向に戻る球崩し部材３が衝突した球３１を上流側に押し戻す。これによって、押し戻された球３１の上下２段の形態や左右に並んだ形態が崩されるので、球噛みを崩すことができる。
【００１５】
図４を参照し、遊技機用球樋装置１を用いたパチンコ機の裏側の構造について説明する。遊技機用球樋装置１が、遊技機枠４０の裏面におけるタンク３３と縦形球樋３５との間に、横樋２の一端から他端に行くにしたがって徐々に傾斜する格好で、遊技機枠４０に取り付けられる。これによって、タンク３３における図３に示す球供給口３４が横樋２の上に配置されて連結され、横樋２の図１のｂ図に示す球出口２１；２１が縦形球樋３５の球入口の上に配置されて連結部材３６で連結される。この場合、横樋２の２つの球出口２１が縦形球樋３５の２つの球入口に別々に連結され、球通路４を流下してくる球３１が整流部２２で整流されて縦形球樋３５の２つの球入口に一列状態で別々に供給され、縦形球樋３５から球を一列状態で下部の球払出機構３７に別々に送り、球払出機構３７が、図外の制御装置からの球払出動作指示による図外の駆動源の駆動によって、縦形球樋３５から一列状態で別々に供給された球を中継樋３８から遊技機枠４０の前面における球皿３９に払い出す。タンク３３は、上方に開口された箱形である。タンク３３の上部には、遊技機枠４０の設置された遊技店における島と呼ばれる図外の遊技設置設備の補給系統の球出口が配置される。そして、球３１がタンク３３から横樋２に供給され、タンク３３に球３１が無くなるか、または、タンク３３の球３１が減ると、図外の制御装置の制御により補給系統から球３１がタンク３３に補給される。
【００１６】
図５は第２実施形態に係る球崩し部材３と支持体７との構造を示す。球崩し部材３は、円板状の中心に取付孔１３を備える。支持体７は、位置決めブロック１１とホルダー４１とを互いに別々に形成した形態に備える。位置決めブロック１１は、ゴムまたは合成樹脂のような弾性体で形成される。位置決めブロック１１は、横挿入部４２と縦挿入部４３および保持部４４を備える。横挿入部４２は、位置決めブロック１１の一側面から内部に窪むように上下２段の溝形状に形成される。縦挿入部４３は、上下２段の横挿入部４２を互いに連接する左右の溝形状に形成される。保持部４４は、横挿入部４２の内側端部に横挿入部４２よりも幅広な溝形状に形成される。横挿入部４２と縦挿入部４３および保持部４４の溝幅は、ホルダー４１を構成する棒状のばね材の外形よりも細い。ホルダー４１は、ピアノ線のような弾性を有する棒状のばね材で形成される。ホルダー４１は、中央の頭部４５と両側の肩部４６と両側のアーム部４７とを備える。頭部４５は、位置決めブロック１１の上段の横挿入部４２と左右の縦挿入部４３とに嵌め込まれる凸形状である。肩部４６は、頭部４５から外側横方向に折り曲げられた横部４８と、横部４８より下方に折り曲げられた縦部４９とを有した形状である。アーム部４７は、肩部４６の縦部４９から外側横方向に折り曲げられた受止部５０と、受止部５０の先端が上方に折り曲げられた抜止部５１を有する形状である。そして、２つのアーム部４７には、２つの球崩し部材３が個別に取り付けられる。具体的には、ホルダー４１のアーム部４７を球崩し部材３の取付孔１３に挿入して、抜止部５１を球崩し部材３の側面に係止することによって、球崩し部材３が受止部５０に回転可能に吊り下げられる。ホルダー４１の頭部４５および肩部４６が位置決めブロック１１の一側面前側から上下２段の横挿入部４２および左右の縦挿入部４３に挿入されて保持部４４に嵌め込まれる。これによって、ホルダー４１の頭部４５および肩部４６が保持部４４の周りにおける位置決めブロック１１の弾性で抱え持つように支持され、ホルダー４１が位置決めブロック１１に固定的に取り付けられる。即ち、位置決めブロック１１とホルダー４１と球崩し部材３とが互いに別々に形成され、位置決めブロック１１にホルダー４１が固定的に取り付けられ、ホルダー４１の受止部５０に球崩し部材３が回転可能に取り付けられる。アーム部４７の受止部５０の長さは取付孔１３の延長方向の長さより長く、取付孔１３の孔径はアーム部４７の抜止部５１の高さより大きい。このため、アーム部４７に球崩し部材３を容易に着脱でき、球崩し部材３の交換を容易に行える。そして、支持体７の位置決めブロック１１が横樋２の取付孔９に圧縮された形態で押し込まれることによって、横樋２の仕切壁６より外側に突出して取付孔９より幅広に膨出した膨出部２５（図６参照）が取付孔９の周りの仕切壁６を球３１の流れる方向と直交する横方向両側から挟む格好で支持するので、支持体７が横樋２に固定的に取り付けられる。尚、位置決めブロック１１は、横挿入部４２と縦挿入部４３のホルダー４１を挿入する側の開放部を横樋２の一端側に向けて取り付けられ、ホルダー４１は保持部４４より外れにくい。
【００１７】
図６は横樋２に球崩し部材３を取り付けた状態を示す。図６を参照し、第２実施形態の遊技機用球樋装置１の作用について説明する。球崩し部材３が支持体７で横樋２に取り付けられた場合、前述した位置決めブロック１１と取付孔９との嵌め合いによって、位置決めブロック１１の両側の真下に球崩し部材３が位置する形態となる。このように球崩し部材３が横樋２に取り付けられた場合、球崩し部材３は横樋２の底部５から離れている。この球崩し部材３と横樋２の底部５との間に形成された隙間は、横樋２の底部５に接触した１個の球３１の直径よりも大きいが、２個の球３１が縦方向に上下２段で直列に重なった場合の当該２個の球３１の直径よりも小さい寸法に設定される。そして、横樋２の上方に配置されたタンク３３の底部に形成された球供給口３４から球３１が球崩し部材３よりも上流側における横樋２の２つの球通路４に供給され、当該供給されて上下２段となった球３１のうちの上段の球３１が球崩し部材３に衝突すると、頭部４５と肩部４６の横部４８は保持部４４に保持されて移動しないので、ホルダー４１における肩部４６の縦部４９と肩部４６の横部４８との連接部５２より下の部分は、連接部５２を支点とした片持ちばねとなって、連接部５２より下の部分が撓み、連接部５２より下の部分は肩部４６の横部４８の軸中心を回転中心として矢印Ｘ４方向に回転する。この結果、支持体７に発生した撓みエネルギーが大きくなり、この大きくなった撓みエネルギーが球崩し部材３に衝突した球３１の運動エネルギーよりも大きくなると、球崩し部材３が支持体７の撓みエネルギーの反力で矢印Ｘ５の方向に戻る。この矢印Ｘ５の方向に戻る球崩し部材３が衝突した球３１を横樋２の一端側に押し戻す。これによって、押し戻された球３１の上下２段の形態や左右に並んだ形態が崩されるので、球噛みを崩すことができる。
【産業上の利用可能性】
【００１８】
本発明の遊技機用球樋装置は、パチンコ機や、遊技媒体としてパチンコ球を使用するスロットマシン等の遊技機に使用できる。
また、１つの球通路を備えた横樋においても側壁に支持体を取り付けて球通路内に球崩し部材を配置できる。
【図面の簡単な説明】
【００１９】
【図１】遊技機用球樋装置を示し、ａ図は分解斜視図、ｂ図は横樋の下流側端部の平面図、ｃ図は外観図（第１実施形態）。
【図２】遊技機用球樋装置の横樋に対する球崩し部材と支持体の取付状態を示す平面図（第１実施形態）。
【図３】遊技機用球樋装置の横樋の断面図（第１実施形態）。
【図４】遊技機用球樋装置を使用した遊技機の球払出系統を示す背面図（第１実施形態）。
【図５】遊技機用球樋装置の支持体と球崩し部材とを示す分解斜視図（第２実施形態）。
【図６】遊技機用球樋装置の横樋に球崩し部材を取り付けた状態を示す斜視図（第２実施形態）。
【図７】球噛みを示す図。
【符号の説明】
【００２０】
１  遊技機用球樋装置、２  横樋、３  球崩し部材、５  横樋の底部、７  支持体、
９；１０  取付孔、１３  取付孔。
【図１】
2005168597.tif 000003
【図２】
2005168597.tif 000004
【図３】
2005168597.tif 000005
【図４】
2005168597.tif 000006
【図５】
2005168597.tif 000007
【図６】
2005168597.tif 000008
【図７】
2005168597.tif 000009